(57)【要約】【課題】ふとん乾燥機において、送風運転の時間が長いと暖まったふとんが冷えてしまう。逆に送風運転の時間が短いと吹出部の温度が高いままになるので熱くて触れない可能性があるという課題を有していた。【解決手段】本発明のふとん乾燥機は、温風運転時間と室温と吹出し温度いずれかまたは複数の値によって送風時間が設定することにより、温風運転時間が長かったり、室温や吹出し温度が高かったりした場合送風時間が長めに設定され、逆の場合は送風時間を短めに設定されることとなるので、暖まったふとんが冷えてしまったりすることなく吹出部が適度に冷却され、送風運転時間の有効的な設定ができるという効果を得ることができる。【選択図】図４
2017023692.tif 000002
【特許請求の範囲】
【請求項１】
吸気口と吹出部とを有した本体ケースと、
前記吸気口と前記吹出部とを連通する風路に設けたヒータ部と、
前記吸気口から吸い込んだ空気を前記吹出部へ送風するファンと、
温風運転の運転時間である温風運転時間Ｔｈを設定する操作部と、
送風運転の運転時間を規定する制御テーブルを記憶した記憶部と、
前記ファンと前記ヒータ部とを制御する制御部とを備え、
前記制御部は、
前記記憶部に記憶された制御テーブルに基づき、前記ヒータ部と前記ファンとを動作させる前記温風運転と、前記ファンを動作させる前記送風運転とを行うことを特徴とするふとん乾燥機。
【請求項２】
前記記憶部に記憶された前記制御テーブルは、
前記温風運転時間Ｔｈと送風運転時間との関係を示すテーブルであって、
前記制御部は、
前記温風運転を前記温風運転時間Ｔｈの間運転し、
前記制御テーブルに基づき、前記温風運転時間Ｔｈに対応する送風運転時間Ｔｃの間前記送風運転することを特徴とする請求項１に記載のふとん乾燥機。
【請求項３】
室温センサを備え、
前記記憶部に記憶された前記制御テーブルは、
前記温風運転時間Ｔｈと室温と送風運転時間との関係を示すテーブルであって、
前記制御部は、
前記温風運転を前記温風運転時間Ｔｈの間運転し、
前記室温センサで室温を検出し、
前記制御テーブルに基づき、前記温風運転時間Ｔｈと前記検出した室温とに対応する送風運転時間Ｔｃの間前記送風運転することを特徴とする請求項１に記載のふとん乾燥機。
【請求項４】
前記風路に吹出温センサを備え、
前記記憶部に記憶された前記制御テーブルは、
前記温風運転時間Ｔｈと前記ヒータ部から吹き出す空気の温度と送風運転時間との関係を示すテーブルであって、
前記制御部は、
前記温風運転を温風運転時間Ｔｈの間運転し、
前記吹出温センサで前記ヒータ部から吹き出す空気の温度を検出し、
前記制御テーブルに基づき、前記温風運転時間Ｔｈと前記検出した前記ヒータ部から吹き出す空気の温度とに対応する送風運転時間Ｔｃの間前記送風運転することを特徴とする請求項１に記載のふとん乾燥機。
【請求項５】
室温センサと前記風路に吹出温センサとを備え、
前記記憶部に記憶された前記制御テーブルは、
前記温風運転時間Ｔｈと室温と前記ヒータ部から吹き出す空気の温度と送風運転時間との関係を示すテーブルであって、
前記制御部は、
前記温風運転を温風運転時間Ｔｈの間運転し、
前記室温センサで室温を検出し、
前記吹出温センサで前記ヒータ部から吹き出す空気の温度を検出し、
前記制御テーブルに基づき、前記温風運転時間Ｔｈと前記検出した室温と前記ヒータ部から吹き出す空気の温度とに対応する送風運転時間Ｔｃの間前記送風運転することを特徴とする請求項１に記載のふとん乾燥機。
【請求項６】
前記風路に吹出温センサを備え、
前記記憶部に記憶された前記制御テーブルは、
前記ヒータ部から吹き出す空気の温度と残送風運転時間Ｔｃ０との関係を示すテーブルであって、
前記制御部は、
前記吹出温センサで前記ヒータ部から吹き出す空気の温度を検出し、
前記制御テーブルに基づき、前記検出した前記ヒータ部から吹き出す空気の温度に対応する残送風運転時間Ｔｃと前記送風運転時間Ｔｃとのどちらか早いほうの時間の間前記送風運転することを特徴とする請求項２から５のいずれかに記載のふとん乾燥機。
【請求項７】
前記操作部に前記送風運転中であることを表示することを特徴とする請求項１から６のいずれかに記載のふとん乾燥機。
【発明の詳細な説明】
【技術分野】
【０００１】
本発明は、ふとんやベットの乾燥や暖めに使用されるふとん乾燥機に関するものである。
【背景技術】
【０００２】
従来、この種のふとん乾燥機は、ホースに吹出しノズルを装着されたものが知られている（例えば、特許文献１参照）。
【０００３】
以下、そのふとん乾燥機について図１０および図１１を参照しながら説明する。
【０００４】
図１０示すように、本体１０１内にファン１０２とヒータ部１０３を配置し、ホース１０４を備えることにより温風を出す。また、吹出しノズル１０５をホースに装着することで、図１１に示すようにふとん１０６内部に吹出しノズル１０５を設置し、ふとん１０６を乾燥している。
【先行技術文献】
【特許文献】
【０００５】
【特許文献１】実開昭６２−１９６１９１号公報
【発明の概要】
【発明が解決しようとする課題】
【０００６】
このような従来のふとん乾燥機においては、温風運転終了直後に、吹出部をふとんの中から取り出そうとすると、吹出部自体の温度が上昇しており、吹出部に触れると熱く感じる場合がある。
【０００７】
そこで、温風運転終了後に、ヒータは動作させずに、送風機のみを動作させる送風運転を行う必要がある。しかし、送風運転の時間が長いと、暖まったふとんが冷えてしまう。逆に送風運転の時間が短いと、吹出部の温度が高いままになるので熱くて触れられない可能性があるという課題を有していた。
【０００８】
そこで本発明は、上記従来の課題を解決するものであり、温風運転後の送風運転時間の有効的な設定ができるふとん乾燥機を提供することを目的とする。
【課題を解決するための手段】
【０００９】
そして、この目的を達成するために、本発明は、吸気口と吹出部とを有した本体ケースと、前記吸気口と前記吹出部とを連通する風路に設けたヒータ部と、前記吸気口から吸い込んだ空気を前記吹出部へ送風するファンと、温風運転の運転時間である温風運転時間Ｔｈを設定する操作部と、送風運転の運転時間を規定する制御テーブルを記憶した記憶部と、前記ファンと前記ヒータ部とを制御する制御部とを備え、前記制御部は、前記記憶部に記憶された制御テーブルに基づき、前記ヒータ部と前記ファンとを動作させる前記温風運転と、前記ファンを動作させる前記送風運転とを行うことを特徴とするものであり、これにより所期の目的を達成するものである。
【発明の効果】
【００１０】
本発明によれば、記憶部に記憶された制御テーブルに基づき、ヒータ部とファンとを動作させる温風運転と、ファンを動作させる送風運転とを行うこととなる。
【００１１】
これにより、暖まったふとんが冷えてしまったりすることなく吹出部が適度に冷却され、送風運転時間の有効的な設定ができるという効果を得ることができる。
【図面の簡単な説明】
【００１２】
【図１】本発明の実施の形態１のふとん乾燥機の概略構成の断面図
【図２】同ふとん乾燥機の設置図
【図３】同ふとん乾燥機の機能構成を示す図
【図４】同ふとん乾燥機の送風運転時間Ｔｃの制御テーブルを示す図
【図５】本発明の実施の形態２のふとん乾燥機の送風運転時間Ｔｃの制御テーブルを示す図
【図６】本発明の実施の形態３のふとん乾燥機の送風運転時間Ｔｃの制御テーブルを示す図
【図７】本発明の実施の形態４のふとん乾燥機の送風運転時間Ｔｃの制御テーブルを示す図
【図８】同ふとん乾燥機の残送風運転時間Ｔｃ０の制御テーブルを示す図
【図９】同ふとん乾燥機の操作部を示す図
【図１０】従来のふとん乾燥機を示す断面図
【図１１】従来のふとん乾燥機を示す斜視図
【発明を実施するための形態】
【００１３】
本発明の請求項１記載のふとん乾燥機は、吸気口と吹出部とを有した本体ケースと、前記吸気口と前記吹出部とを連通する風路に設けたヒータ部と、前記吸気口から吸い込んだ空気を前記吹出部へ送風するファンと、温風運転の運転時間である温風運転時間Ｔｈを設定する操作部と、送風運転の運転時間を規定する制御テーブルを記憶した記憶部と、前記ファンと前記ヒータ部とを制御する制御部とを備え、前記制御部は、前記記憶部に記憶された制御テーブルに基づき、前記ヒータ部と前記ファンとを動作させる前記温風運転と、前記ファンを動作させる前記送風運転とを行うことを特徴とする。
【００１４】
これにより、暖まったふとんが冷えてしまったりすることなく吹出部が適度に冷却され、送風運転時間の有効的な設定ができるという効果を得ることができる。
【００１５】
また、前記記憶部に記憶された前記制御テーブルは、前記温風運転時間Ｔｈと送風運転時間との関係を示すテーブルであって、前記制御部は、前記温風運転を前記温風運転時間Ｔｈの間運転し、前記制御テーブルに基づき、前記温風運転時間Ｔｈに対応する送風運転時間Ｔｃの間前記送風運転することを特徴とする。
【００１６】
これにより、温風運転時間が長い場合送風時間が長めに設定され、逆の場合は送風時間を短めに設定されることとなるので、暖まったふとんが冷えてしまったりすることなく吹出部が適度に冷却されるという効果を奏する。
【００１７】
また、室温センサを備え、前記記憶部に記憶された前記制御テーブルは、前記温風運転時間Ｔｈと室温と送風運転時間との関係を示すテーブルであって、前記制御部は、前記温風運転を前記温風運転時間Ｔｈの間運転し、前記室温センサで室温を検出し、前記制御テーブルに基づき、前記温風運転時間Ｔｈと前記検出した室温とに対応する送風運転時間Ｔｃの間前記送風運転することを特徴とする。
【００１８】
これにより、室温が高い場合には送風時間が長めに設定され、逆の場合には送風時間を短めに設定されることとなるので、暖まったふとんが冷えてしまったりすることなく吹出部が適度に冷却されるという効果を奏する。
【００１９】
また、前記風路に吹出温センサを備え、前記記憶部に記憶された前記制御テーブルは、前記温風運転時間Ｔｈと前記ヒータ部から吹き出す空気の温度と送風運転時間との関係を示すテーブルであって、前記制御部は、前記温風運転を温風運転時間Ｔｈの間運転し、前記吹出温センサで前記ヒータ部から吹き出す空気の温度を検出し、前記制御テーブルに基づき、前記温風運転時間Ｔｈと前記検出した前記ヒータ部から吹き出す空気の温度とに対応する送風運転時間Ｔｃの間前記送風運転することを特徴とする。
【００２０】
これにより、加熱された空気の温度が高い場合には送風時間が長めに設定され、逆の場合には送風時間を短めに設定されることとなるので、暖まったふとんが冷えてしまったりすることなく吹出部が適度に冷却されるという効果を奏する。
【００２１】
また、室温センサと前記風路に吹出温センサとを備え、前記記憶部に記憶された前記制御テーブルは、前記温風運転時間Ｔｈと室温と前記ヒータ部から吹き出す空気の温度と送風運転時間との関係を示すテーブルであって、前記制御部は、前記温風運転を温風運転時間Ｔｈの間運転し、前記室温センサで室温を検出し、前記吹出温センサで前記ヒータ部から吹き出す空気の温度を検出し、前記制御テーブルに基づき、前記温風運転時間Ｔｈと前記検出した室温と前記ヒータ部から吹き出す空気の温度とに対応する送風運転時間Ｔｃの間前記送風運転することを特徴とする。
【００２２】
これにより、加熱された空気の温度が高い場合には送風時間が長めに設定され、逆の場合には送風時間を短めに設定されることとなるので、暖まったふとんが冷えてしまったりすることなく吹出部が適度に冷却されるという効果を奏する。
【００２３】
また、前記風路に吹出温センサを備え、前記記憶部に記憶された前記制御テーブルは、前記ヒータ部から吹き出す空気の温度と残送風運転時間Ｔｃ０との関係を示すテーブルであって、前記制御部は、前記吹出温センサで前記ヒータ部から吹き出す空気の温度を検出し、前記制御テーブルに基づき、前記検出した前記ヒータ部から吹き出す空気の温度に対応する残送風運転時間Ｔｃ０と前記送風運転時間Ｔｃとのどちらか早いほうの時間の間前記送風運転することを特徴とする。
【００２４】
これにより、送風運転時の吹出し温度が低くなった場合に送風運転が終了することとなるので、暖まったふとんが冷えてしまったりすることなく吹出部が適度に冷却されるという効果を奏する。
【００２５】
また、前記操作部に前記送風運転中であることを表示する。
【００２６】
これにより、冷却中であることが分かることとなるので、熱い状態の吹出部にふれることが無くなるという効果を奏する。
【００２７】
以下、本発明の実施の形態について図面を参照しながら説明する。
【００２８】
（実施の形態１）
図１は、本発明の実施の形態１のふとん乾燥機の概略構成の断面図である。図２は、本発明の実施の形態１のふとん乾燥機の設置図である。図３は、本発明の実施の形態１のふとん乾燥機の機能構成を示す図である。
【００２９】
図１、図２、図３に示すように、ふとん乾燥機は、箱形状の本体ケース２を備え、本体ケース２の下部には吸気口１を、上面には操作部７を、上部には吹出部６とを設けている。本体ケース２内には、ファン３と、ヒータ部４と、ダクト５と、制御部８と、記憶部１３を有している。吹出部６は、ダクト５の先端に設けられている。
【００３０】
吸気口１とダクト５とを連通する風路には、ファン３とヒータ部４とを備えている。ファン３によって、吸気口１から吸い込んだ空気を、ファン３から吹き出し、ヒータ部４へ送風する。ヒータ部４では、送風された空気を加熱し、この加熱された空気が、ダクト５を介し、ダクト５の先端に設けた吹出部６から吹き出る。
【００３１】
操作部７は、温風運転の運転時間である温風運転時間Ｔｈを設定できる。操作部７には、後述する運転モードランプ１１と、タイマー運転時間ランプ１２とを備えている。
【００３２】
記憶部１３は、送風運転の運転時間を規定する制御テーブルを記憶している。
【００３３】
制御部８は、操作部７の設定に応じてファン３とヒータ部４とを制御する。制御部８は、ヒータ部４とファン３とを動作させる温風運転と、ファン３のみを動作させる送風運転とを備えている。制御部８にはタイマーを備えており、温風運転を動作させる温風運転時間Ｔｈと、送風運転を動作させる送風運転時間Ｔｃとをカウントしている。制御部８は、記憶部に記憶された制御テーブルを読み出し、この読み出した制御テーブルに基づき、ファンを動作させる送風運転を行う。
【００３４】
吸気口１からヒータ部４との間の風路に室温センサ９を備え、ヒータ部４から吹出部６との間の風路に吹出温センサ１０を備えている。制御部８にて室温Ｔａと、吹出温Ｔｏ１を検知している。なお、室温センサ９は、本体ケース２内であれば、風路に配置されれば良く、ヒータ部４の影響を受ける位置であっても、ヒータ部４の影響を考慮し、室温に換算できる位置でも良い。また、室温センサ９は、本体ケース２の外に設けてもよい。
【００３５】
図２に示すように、ふとん乾燥機によって、ふとん１０６を温める温め運転を行う場合には、本体ケース２から、吹出部６とダクト５を引き出し、吹出部６をふとん１０６の中に設置し、温風を吹き出す温風運転をすることでふとん１０６を暖める。
【００３６】
このとき、吹出部６の温度は、温風運転を実行している温風運転時間Ｔｈや室温Ｔａや吹出温Ｔｏ１などに応じて高くなり、ときには触るのがためらわれるほど熱くなる。そのため、温風運転停止後に送風運転をして温度を下げる必要があるのだが、必要以上に送風運転をするとせっかく暖めたふとん１０６が冷めてしまうこととなる。
【００３７】
図４は、本発明の実施の形態１のふとん乾燥機の送風運転時間Ｔｃの制御テーブルを示す図である。
【００３８】
図４に示すように、記憶部１３に記憶された制御テーブルは、温風運転時間Ｔｈと送風運転時間Ｔｃとの関係を示すテーブルである。制御部８は、温風運転を温風運転時間Ｔｈの間運転し、制御テーブルに基づき、温風運転時間Ｔｈに応じて送風運転を動作させる送風運転時間Ｔｃの時間を決定する。そして、温風運転時間Ｔｈに対応する送風運転時間Ｔｃの間、送風運転する。
【００３９】
これにより、吹出部６の温度状態に応じて冷却できるので、暖まったふとん１０６が冷えてしまったりすることなく吹出部が適度に冷却される。
（実施の形態２）
図５は、本発明の実施の形態２のふとん乾燥機の送風運転時間Ｔｃの制御テーブルを示す図である。
【００４０】
実施の形態１と相違する点は、図５の送風運転時間Ｔｃの制御テーブルである。
【００４１】
図５のように、記憶部１３に記憶された制御テーブルは、温風運転時間Ｔｈと室温Ｔａと送風運転時間Ｔｃとの関係を示すテーブルである。制御部８は、温風運転を温風運転時間Ｔｈの間運転し、室温センサで室温Ｔａを検出する。制御部８は、制御テーブルに基づき、温風運転時間Ｔｈと、室温センサ９の検出温度とによって送風運転時間Ｔｃを決定する。制御部８は、温風運転後に、送風運転時間Ｔｃの間、送風運転する。
【００４２】
これにより、さらに精度良く吹出部６の温度状態に応じて冷却できるので、暖まったふとん１０６が冷えてしまったりすることなく吹出部６が適度に冷却される。このとき温風運転時間Ｔｈを実際とは異なり一定に設定すれば、室温Ｔａのみで送風運転時間Ｔｃの時間を決定することとなり簡易的にある程度の効果を得ることができることとなる。
（実施の形態３）
図６は、本発明の実施の形態３のふとん乾燥機の送風運転時間Ｔｃの制御テーブルを示す図である。
【００４３】
実施の形態１と相違する点は、図６の送風運転時間Ｔｃの制御テーブルである。
【００４４】
図６のように、記憶部１３に記憶された制御テーブルは、温風運転時間Ｔｈとヒータ部４から吹き出す空気の温度である吹出温Ｔｏ１と送風運転時間Ｔｃとの関係を示すテーブルである。
【００４５】
制御部８は、温風運転を温風運転時間Ｔｈの間運転し、吹出温センサ１０でヒータ部４から吹き出す空気の温度である吹出温Ｔｏ１を検出する。制御部８は、制御テーブルに基づき、温風運転時間Ｔｈと検出したヒータ部４から吹き出す空気の温度である吹出温Ｔｏ１とに対応する送風運転時間Ｔｃを決定する。制御部８は、温風運転を温風運転時間Ｔｈ実行し、温風運転後に、送風運転を送風運転時間Ｔｃ実行する。
【００４６】
これにより、さらに精度良く前記吹出部６の温度状態に応じて冷却できるので、暖まったふとん１０６が冷えてしまったりすることなく吹出部６が適度に冷却される。このとき温風運転時間Ｔｈを実際とは異なり一定に設定すれば、吹出温Ｔｏ１のみで送風運転時間Ｔｃの時間を決定することとなり簡易的にある程度の効果を得ることができることとなる。
（実施の形態４）
図７は、本発明の実施の形態４のふとん乾燥機の送風運転時間Ｔｃの制御テーブルを示す図である。
【００４７】
実施の形態１と相違する点は、図７の送風運転時間Ｔｃの制御テーブルである。図７のように、記憶部１３に記憶された制御テーブルは、温風運転時間Ｔｈと室温Ｔａとヒータ部４から吹き出す空気の温度である吹出温Ｔｏ１と送風運転時間Ｔｃとの関係を示すテーブルである。制御部８は、温風運転を温風運転時間Ｔｈの間運転し、室温センサ９で室温Ｔａを検出し、吹出温センサ１０でヒータ部４から吹き出す空気の温度である吹出温Ｔｏ１を検出する。制御部８は、制御テーブルに基づき、温風運転時間Ｔｈと検出した室温Ｔａとヒータ部４から吹き出す空気の温度である吹出温Ｔｏ１とに対応する送風運転時間Ｔｃを決定する。制御部８は、温風運転後に、送風運転を送風運転時間Ｔｃ実行する。これにより、さらに精度良く前記吹出部６の温度状態に応じて冷却できるものである。
【００４８】
具体的には、室温Ｔａを検知する室温センサ９は、使用状況により吸気口１や吹出部６が閉塞されたとき、本体ケース２内部の熱が篭り、実際の室温Ｔａより高い値で室温センサ９が検知してしまう場合がある。また、吹出し空気温度を検知する吹出温センサ１０は、ヒータ部４の取り付けバラツキや、吸気口１や吹出部６が閉塞された場合の吹出温センサ１０へ流れる空気の変化で検知する値が変動してしまう。
【００４９】
これらの室温センサ９と吹出温センサ１０の検知バラツキを抑制し、より精度良く送風運転時間Ｔｃの時間を決定するために、図６に示すように室温検知の値を、３つの場合に分ける。具体的には、室温Ｔａ＜１５℃の場合、１５≦室温Ｔａ＜２５℃の場合、２５≦室温Ｔａ℃の場合である。それぞれの場合において、温風運転後に、温風運転停止直前の吹出温Ｔｏ１と、温風運転時間Ｔｈとに応じて、ヒータ部４を停止し、ファン３を継続動作させる送風運転時間Ｔｃの時間を決定する。これにより、室温Ｔａと、吹出温Ｔｏ１とを見るとともに、温風運転時間Ｔｈに応じた送風運転時間Ｔｃの時間を決定することができるため、使用状態のバラツキを抑制し、より精度良く暖まったふとん１０６が冷えてしまったりすることなく吹出部６が適度に冷却できる。
【００５０】
また、送風運転時間Ｔｃを決定するのは温風運転停止直前の温度であり、実際には送風運転中には吹出温Ｔｏ１は低下していく、この変化を検知し、到達温度に応じて、送風運転時間Ｔｃ内であっても送風運転を終了することで、暖まったふとん１０６が冷えてしまうことを防止できる。
【００５１】
図８は、残送風運転時間Ｔｃ０の制御テーブルである。図８のように、記憶部１３に記憶された制御テーブルは、ヒータ部４から吹き出す空気の温度である吹出温Ｔｏと残送風運転時間Ｔｃ０との関係を示すテーブルである。制御部８は、吹出温センサ１０でヒータ部４から吹き出す空気の温度を検出し、制御テーブルに基づき、検出したヒータ部４から吹き出す空気の温度に対応する残送風運転時間Ｔｃ０を決定する。制御部８は、残送風運転時間Ｔｃ０と送風運転時間Ｔｃとのどちらか早いほうの時間の間送風運転する。つまり、吹出温Ｔｏに応じて残送風運転時間Ｔｃ０を設定し、送風運転時間Ｔｃの残り時間か残送風運転時間Ｔｃ０どちらか早いほうの時間によって運転を停止する。
【００５２】
図９は、操作部７を示す図である。図９のように、運転モードランプ１１と、タイマー運転時間ランプ１２とを設けた操作部７において、通常の運転モードによる運転中は運転モードランプ１１を点灯させ、運転が停止しして、送風運転に移行したとき、運転モードランプ１１を点滅させることで、通常の運転は停止し、送風運転に移行したことを表示して知らせる。
【００５３】
これにより、現在は冷却中であることが分かるため、熱い状態の吹出部にふれることが無くなる。
【００５４】
また、本実施例は運転モードを点滅させているが、別途表示ランプを設けて運転停止後の送風運転であることをお知らせしても良い。
【産業上の利用可能性】
【００５５】
本発明にかかるふとん乾燥機は、ふとんやベットの乾燥や暖めに使用されるふとん乾燥機等として有用である。
【符号の説明】
【００５６】
１    吸気口
２    本体ケース
３    ファン
４    ヒータ部
５    ダクト
６    吹出部
７    操作部
８    制御部
９    室温センサ
１０    吹出温センサ
１１    運転モードランプ
１２    タイマー運転時間ランプ
１３    記憶部
【図１】
2017023692.tif 000003
【図３】
2017023692.tif 000004
【図４】
2017023692.tif 000005
【図５】
2017023692.tif 000006
【図６】
2017023692.tif 000007
【図７】
2017023692.tif 000008
【図８】
2017023692.tif 000009
【図２】
2017023692.tif 000010
【図９】
2017023692.tif 000011
【図１０】
2017023692.tif 000012
【図１１】
2017023692.tif 000013